(57)【要約】【課題】コストアップを最小限に抑えながら、塗装が剥がれたとしても目立ち難い保護ケース３を提供する。【解決手段】透明なプラスチック材料によって形成されて電子部品を囲む保護ケース本体１１を有する。保護ケース本体１１の外面１１ａを覆う色付きの塗料からなる外面側塗膜１２を有する。保護ケース本体１１の内面１１ｂを覆う色付きの塗料からなる内面側塗膜１３を有する。外面側塗膜１２の色と、内面側塗膜１３の色とは同一の色である。【選択図】  図２
2019212860.tif 000002
【特許請求の範囲】
【請求項１】
透明なプラスチック材料によって形成されて電子部品を囲む保護ケース本体と、
前記保護ケース本体の外面を覆う色付きの塗料からなる外面側塗膜と、
前記保護ケース本体の内面を覆う色付きの塗料からなる内面側塗膜とを備え、
前記外面側塗膜の色と、前記内面側塗膜の色とは同一の色であることを特徴とする保護ケース。
【請求項２】
請求項１記載の保護ケースにおいて、
前記電子部品は、接触式の読取部を備え、
前記保護ケース本体は、前記読取部を覆う接触部を有していることを特徴とする保護ケース。
【発明の詳細な説明】
【技術分野】
【０００１】
本発明は、電子部品を囲む保護ケースに関する。
【背景技術】
【０００２】
使用者が直接にあるいは間接的に触って使用する電子機器は、この電子機器を構成する電子部品を囲む保護ケースを備えている。この種の電子機器としては、例えば特許文献１に記載されているような指紋照合装置や、カードリーダーなどがある。特許文献１に開示された指紋照合装置は、筐体を構成する保護ケースを備えている。この保護ケースには、使用者の指が押し付けられる指紋読取部が設けられている。
この種の保護ケースは、一般的に所定の色で塗装が施されている。
【先行技術文献】
【特許文献】
【０００３】
【特許文献１】特開２００７−１４８８０１
【発明の概要】
【発明が解決しようとする課題】
【０００４】
特許文献１に示すような保護ケースにおいては、使用者の指が保護ケースに繰り返し接触することにより塗膜が摩耗し、長期間にわたって使用することにより塗装が部分的に剥がれるという問題があった。このような不具合を解消するためには、塗装が剥がれ難くするために、塗装面に保護膜をコーティングすることが考えられる。しかし、この保護膜においても指の接触による摩耗を防ぐことは難しいから、摩耗が進行するにしたがって塗膜が露出し、その後、塗膜が剥がれるようになる。
【０００５】
また、保護ケースの成型材料となる樹脂の材料色を塗装色と同一あるいは類似の色とすることにより、塗装が剥がれた部分を目立ち難くすることができる。しかし、このようにするためには、樹脂の材料色を調合して準備することが必要になり、保護ケースの製造コストが高くなってしまう。
【０００６】
本発明の目的は、コストアップを最小限に抑えながら、塗装が剥がれたとしても目立ち難い保護ケースを提供することを目的とする。
【課題を解決するための手段】
【０００７】
この目的を達成するために、本発明に係る保護ケースは、透明なプラスチック材料によって形成されて電子部品を囲む保護ケース本体と、前記保護ケース本体の外面を覆う色付きの塗料からなる外面側塗膜と、前記保護ケース本体の内面を覆う色付きの塗料からなる内面側塗膜とを備え、前記外面側塗膜の色と、前記内面側塗膜の色とは同一の色であることを特徴とするものである。
【０００８】
本発明は、前記保護ケースにおいて、前記電子部品は、接触式の読取部を備え、前記保護ケース本体は、前記読取部を覆う接触部を有していてもよい。
【発明の効果】
【０００９】
本発明においては、外面側塗膜が剥がれると、透明な保護ケース本体を透かして内面側塗膜が見える。内面側塗膜の色は外面側塗膜の色と同一であるから、保護ケースの外面側塗膜の剥がれた部分が目立ち難くなる。
外面側塗膜と内面側塗膜は、同一の塗料を使用して塗装することができるから、塗装の下の樹脂の材料色を変更する場合と較べると、樹脂の材料色を調合して準備する費用を低減することができる。
したがって、本発明によれば、コストアップを最小限に抑えながら、塗装が剥がれたとしても目立ち難い保護ケースを提供することができる。
【図面の簡単な説明】
【００１０】
【図１】本発明に係る保護ケースを使用した電子機器の斜視図である。
【図２】保護ケースの一部を拡大して示す断面図である。
【図３】保護ケースの一部を拡大して示す断面図である。
【発明を実施するための形態】
【００１１】
以下、本発明に係る保護ケースの一実施の形態を図１〜図３を参照して詳細に説明する。
図１に示す電子機器１は、例えばカードリーダーや指紋照合装置などの使用者（図示せず）が直接にあるいは間接的に触って使用するものである。この電子機器１を構成する電子部品２は、保護ケース３の中に収容されている。
【００１２】
電子部品２は、接触式の読取部４を備えている。電子機器１がカードリーダーである場合の読取部４は、例えばＩＣカード用のリーダライタや、ＲＦＩＤ用のリーダライタなどによって構成することができる。電子機器１が指紋照合装置である場合の読取部４は、指紋認証リーダによって構成することができる。
【００１３】
保護ケース３は、電子部品２を囲んで保護するためのもので、電子部品２を上下方向と水平方向とから囲む箱状に形成されている。この保護ケース３は、外面と内面とにそれぞれ塗装が施されている。詳述すると、この保護ケース３は、図２に示すように、保護ケース本体１１と、この保護ケース本体１１の外面１１ａに付着した外面側塗膜１２と、保護ケース本体１１の内面１１ｂに付着した内面側塗膜１３とによって構成されている。
保護ケース本体１１は、透明なプラスチック材料によって所定の形状に形成されており、上述した読取部４を覆う接触部１４（図１参照）を有している。なお、電子機器１が指紋照合装置である場合の接触部１４には、図示してはいないが、光透過用の窓が設けられる。
【００１４】
外面側塗膜１２の色と、内面側塗膜１３の色は、同一の色である。これらの外面側塗膜１２と内面側塗膜１３は、液状の色付きの塗料が保護ケース本体１１に吹付けられて固化したものである。液状の塗料としては、例えば２液型塗料を用いることができる。なお、外面側塗膜１２と内面側塗膜１３を保護ケース本体１１に設けるためには、吹付けに限定されることはなく、刷毛を使ったり、保護ケース３を塗料内に浸漬させたりして行うことができる。
【００１５】
このように構成された保護ケース３を備えた電子機器１においては、長期間にわたって使用することにより、保護ケース３の接触部１４にカード（図示せず）や指（図示せず）が繰り返し接触することが原因で接触部１４において外面側塗膜１２が摩耗する。この摩耗が進行すると、図３に示すように、外面側塗膜１２の一部が部分的に剥がれて未塗装部１５が生じる。
このように外面側塗膜１２に未塗装部１５が生じると、未塗装部１５から透明な保護ケース本体１１を透かして内面側塗膜１３が見えるようになる。内面側塗膜１３の色は外面側塗膜１２の色と同一であるから、未塗装部１５に外面側塗膜１２が存在していないにもかかわらず、未塗装部１５が周囲と同等の色に見える。このため、保護ケース３の外面側塗膜１２の剥がれた部分が目立ち難くなる。
【００１６】
外面側塗膜１２と内面側塗膜１３は、同一の塗料を使用して塗装することができるから、塗装の下の樹脂の材料色を変更する場合と較べると、樹脂の材料色を調合して準備する費用を低減することができる。
したがって、この実施の形態によれば、コストアップを最小限に抑えながら、塗装が剥がれたとしても目立ち難い保護ケースを提供することができる。
【００１７】
この実施の形態による保護ケース本体１１は、電子部品２の読取部４を覆う接触部１４を有している。
このため、この実施の形態によれば、カードや指などが繰り返し接触して塗装が剥がれたとしても目立ち難いカードリーダーや指紋照合装置を実現可能な保護ケースを提供することができる。
【符号の説明】
【００１８】
１…電子機器、２…電子部品、３…保護ケース、４…読取部、１１…保護ケース本体、１２…外面側塗膜、１３…内面側塗膜、１４…接触部。
【図１】
2019212860.tif 000003
【図２】
2019212860.tif 000004
【図３】
2019212860.tif 000005